(57)【要約】さまざまな装飾的用途として使用可能でユニークな炎の構成を提供する石油ランプ／芳香放出装置（１０）。ランプ（１０）は、可燃性液体を保持する室（１４）を画定しかつ開放上端を有するボディー（１２）を含む。ランプ（１０）は、可燃性液体に接するためにボディー（１２）の室（１４）に位置する下端と、開放上端から上方に突出する上端とを有するシート状燈心（１６）を含む。無機物質の燈心（１６）を、毛管作用を高めるために、対向し離間する第１及び第２のプレート（１８）の間に置くこととしてもよく、線維質の透過物質の自立可能な石としてもよく、又は剛性プレートの周りに巻き付けることとしてもよい。燈心（１６）はユニークな水平な炎を形成すると共ｓに、平らの壁の外面上に装飾を表示する。必要に応じて、ランプ（１０）は加熱されたときに芳香の放出を促進する香油と熱伝導要素（２０）を含むことができ、高熱芳香エマネーションを持つ材料で燈心（１６）を構成することができる。
2007520033.tif 000002
【特許請求の範囲】
【請求項１】
可燃性液体を保持する室を画定しかつ開放上端を有するボディーと；
前記可燃性液体に接するために前記ボディーの前記室内に位置する下端と、前記開放上端から上向き突出する上端を有するシート状燈心であって、高熱伝導率を有する材料を含まない燈心と；
を含んでなる装置。
【請求項２】
請求項１の装置であって、前記シート状燈心は０.６３乃至１.９１ｍｍ（０.０２５乃至０.０７５インチ）厚と、１２.７ｍｍ乃至１２２ｃｍ（１／２乃至４８インチ）幅を有する装置。
【請求項３】
請求項２の装置であって、前記燈心は２.５４乃至３０.５ｃｍ（１乃至１２インチ）の高さを有する装置。
【請求項４】
請求項１の装置であって、各プレートが上部と、前記ボディーの前記室内に位置する下部を有する互いに離間して対面する第１及び第２のプレートをさらに含んでなり、前記シート状燈心が前記第１のプレートと前記第２のプレートの間に挟まれている装置。
【請求項５】
請求項４の装置であって、前記各プレートの前記上部は前記開放上端に隣接している装置。
【請求項６】
請求項１の装置であって、前記燈心の前記上端の上方に延伸し該上端の上方へ湾曲する上部と、前記ボディーの前記室内に位置する下部を有する熱伝導要素をさらに含んでなる装置。
【請求項７】
請求項１の装置であって、前記燈心は、上から見たときに装飾的な形に構成されている装置。
【請求項８】
請求項７の装置であって、前記燈心は特定の装飾の使用に依存して線形、円弧形、円形、正方形、三角形、ハート形、アルファベット又は数値の形に構成されている装置。
【請求項９】
請求項１の装置であって、前記燈心が剛性プレートの周りのスリーブとして構成されている装置。
【請求項１０】
請求項１の装置であって、前記可燃性液体が芳香化合物又は揮発性化合物を含み、装置は芳香放出装置を形成する装置。
【請求項１１】
請求項１の装置であって、前記可燃性液体が空気清浄化燃料又は揮発性化合物を含み、装置はエアフレッシュナ装置を形成する装置。
【請求項１２】
請求項１の装置であって、装置は石油ランプである装置。
【請求項１３】
請求項１の装置であって、前記高熱伝導率を有する材料は高熱下で溶融せず、割れず、かつ、粉々にならない材料である装置。
【請求項１４】
請求項１の装置であって、前記燈心は石の燈心である装置。
【請求項１５】
請求項１の装置であって、前記燈心は中実かつ透水性の無機質の燈心である装置。
【請求項１６】
請求項１の装置であって、前記開放上端の上に座る蓋をさらに含む装置。
【請求項１７】
請求項１の装置であって、前記燈心は無機繊維質材料で作られている装置。
【請求項１８】
請求項１７の装置であって、前記燈心はグラスファイバー、黒鉛、ポリアミド又はポリエチレンで作られている装置。
【請求項１９】
請求項１８の装置であって、前記燈心は織られた材料で作られている装置。
【請求項２０】
請求項１の装置であって、前記可燃性液体は、鉱油、パラフィン油、脂肪族炭化水素油、ナフテン炭化水素油、灯油、アルコール、植物油、表面活性剤、脂肪酸、ステアリン酸、トリグリセリド又はエーテルである装置。
【請求項２１】
請求項１の装置であって、前記ボディーに整合し、燃えている前記燈心を消す燈消し蓋をさらに含んでなる装置。
【請求項２２】
請求項１の装置であって、前記燈心は繊維材料の中実鉱物燈心である装置。
【請求項２３】
請求項２２の装置であって、前記繊維材料はグラスファイバー、黒鉛、ポリアミド又はポリエチレンである装置。
【請求項２４】
可燃性液体を保持する室を画定しかつ開放上端を有するボディーと；
各プレートが上部と、前記ボディーの前記室内に位置する下部とを有する互いに離間し対向する第１及び第２のプレートと；
前記第１及び第２のプレートの間に挟まれるシート状燈心であって、前記可燃性液体に接するために前記ボディーの前記室内に位置する下端と、前記第１及び第２のプレートの前記上部から上方に突出する上端を有するシート状燈心と；
を含んでなる装置。
【請求項２５】
請求項２４の装置であって、前記第１と第２のプレートはインタロック係合する装置。
【請求項２６】
請求項２５の装置であって、前記第１と第２のプレートは一方のプレートの直立脚の外縁に沿って互いにジョイントされている装置。
【請求項２７】
請求項２４の装置であって、前記プレートは、長方形又は正方形である装置。
【請求項２８】
請求項２４の装置であって、前記プレートは金属、セラミックまたはプラスチックで作られている装置。
【請求項２９】
請求項２４の装置であって、前記プレートはその平らな側面上に意匠、装飾又は色を表示する装置。
【請求項３０】
請求項２４の装置であって、前記燈心はコアライニング又は硬化剤を有する装置。
【請求項３１】
請求項２４の装置であって、前記燈心は剛性のシート状燈心である装置。
【請求項３２】
請求項２４の装置であって、前記第１と第２のプレートの側縁に設けられ前記シート状燈心を前記両プレート間に挟むための複数のクリップをさらに含む装置。
【請求項３３】
請求項３２の装置であって、前記複数のクリップのうちの少なくとも１つのクリップは、前記燈心の前記上端の上方に延伸し該上端の上の方へ湾曲した上部と、前記第１のプレートと第２のプレートと前記燈心を一緒に保持するように設けたサイドフランジと、前記ボディーの前記室内に位置する下部とを有する装置。
【請求項３４】
請求項２４の装置であって、前記第１と第２のプレートは、前記燈心の上部が上から見たときに選択された装飾的な形を形成するように前記燈心を保持するように設けられている装置。
【請求項３５】
請求項３４の装置であって、前記選択された装飾的な形は線、アーチ、円、正方形、三角形、ハート形及びアルファベット又は数字の形から成るグループから選択される装置。
【請求項３６】
請求項２４の装置であって、前記シート状燈心は０.６３乃至１.９１ｍｍ（０.０２５乃至０.０７５インチ）厚と、１２.７ｍｍ乃至１２２ｃｍ（１／２乃至４８インチ）幅を有する装置。
【請求項３７】
請求項２４の装置であって、前記可燃性液体が芳香物質を含み、装置は芳香放出装置を形成する装置。
【請求項３８】
請求項２４の装置であって、前記可燃性液体が空気清浄化燃料を含み、装置はエアフレッシュナ装置を形成する装置。
【請求項３９】
請求項２４の装置であって、装置は石油ランプである装置。
【請求項４０】
請求項２４の装置であって、前記第１及び第２のプレートの前記上部は前記開放上端に隣接する装置。
【請求項４１】
可燃性液体を保持する室を画定しかつ開放上端を有するボディーと；
各プレートが上部と、前記ボディーの前記室内に位置する下部とを有する互いに離間して平行な第１と第２のプレートと；
前記第１と第２のプレートをクランプする複数のクリップと；
前記第１のプレートと前記第２のプレートの間に挟まれ、前記可燃性液体に接するために前記ボディーの前記室内に位置する下端と、前記第１と第２のプレートの前記上部から上方に突出する上端とを有するシート状燈心と；
を含んでなる装置。
【請求項４２】
請求項４１の装置であって、前記第１と第２のプレートの前記上部は前記開放上端に隣接する装置。
【請求項４３】
請求項４１の装置であって、前記開放上端の上に座るように設けた蓋をさらに含んでなる装置。
【請求項４４】
請求項４１の装置であって、前記プレートはガラス、金属又はセラミックで形成される装置。
【請求項４５】
請求項４１の装置であって、前記複数のクリップのうちの少なくとも１つのクリップは、前記燈心の前記上端の上方に延伸し該上端の上の方へ湾曲した上部と、前記第１のプレートと第２のプレートと前記燈心を一緒に保持するように設けたサイドフランジと、前記ボディーの前記室内に位置する下部とを有する装置。
【請求項４６】
請求項４１の装置であって、前記燈心の前記上端がそれを上から見たときに、選択された装飾的な形を形成するように、前記第１と第２のプレートは前記燈心を保持するように設けられている装置。
【請求項４７】
請求項４６の装置であって、前記選択された装飾的な形はアーク、円、正方形、三角形、ハート形及びアルファベット又は数字の形から成るグループから選択される装置。
【請求項４８】
請求項４１の装置であって、前記プレートの少なくとも１つは該プレートの平らな側面上に意匠、装飾及び／又は色を表示する装置。
【請求項４９】
請求項４１の装置であって、前記可燃性液体が芳香物質を含み、装置は芳香放出装置を形成する装置。
【請求項５０】
請求項４１の装置であって、前記可燃性液体が浄空気化燃料を含み、装置はエアフレッシュナ装置を形成する装置。
【請求項５１】
請求項４１の装置であって、前記装置は石油ランプである装置。
【請求項５２】
請求項４１の装置であって、前記燈心は無機繊維質材料で作られている装置。
【請求項５３】
請求項４１の装置であって、前記燈心は０.６３乃至１.９１ｍｍ（０.０２５乃至０.０７５インチ）厚と、１２.７ｍｍ乃至１２２ｃｍ（１／２乃至４８インチ）幅を有する装置。
【請求項５４】
請求項５３の装置であって、前記燈は２.５４乃至３０.５ｃｍ（１乃至１２インチ）の高さである装置。
【請求項５５】
請求項４１の装置であって、前記第１及び第２のプレートは湾曲している装置。
【請求項５６】
請求項４１の装置であって、前記第１及び第２のプレートの少なくとも１つは長方形又は正方形である装置。
【請求項５７】
可燃性液体を保持する容器と；
容器に連結された支持構造であって、シート状燈心を前記容器中に垂直に保持して、前記シート状燈心の上端を前記容器中の前記可燃性液体の上面より上に延伸させる支持構造装置と；
を含んでなる装置。
【請求項５８】
請求項５７の装置であって、前記容器が床を有し、前記支持構造は前記床に取り付けられ、そこから上方に延伸する装置。
【請求項５９】
請求項５７の装置であって、前記支持構造は離間して互いに対向するＵ字型の壁を含む装置。
【請求項６０】
請求項５７の装置であって、前記支持構造は一対の離間した直立プレートを含む装置。
【請求項６１】
請求項５７の装置であって、前記容器は、該容器の低部表面に冷却空気を供給する脚を含む装置。
【請求項６２】
請求項５７の装置であって、前記容器は、該容器の上部周囲で外向きに延伸するリッジを含む装置。
【請求項６３】
請求項６２の装置であって、前記リッジは熱及び芳香を放出する孔を含む装置。
【請求項６４】
請求項５７の装置であって、前記容器に整合し、燃えている前記燈心を消す燈消し蓋をさらに含む請求項５７の装置。
【請求項６５】
請求項５７の装置であって、前記燈心は繊維材料の中実鉱物燈心である装置。
【請求項６６】
請求項６５の装置であって、前記繊維材料はグラスファイバー、黒鉛、ポリアミド又はポリエチレンである装置。
【請求項６７】
請求項５７の装置であって、前記燈心は中実の透水性の石の燈心である装置。
【請求項６８】
請求項５７の装置であって、前記燈心は繊維材料の中実鉱物燈心である装置。
【請求項６９】
請求項５７の装置であって、前記容器は金属、セラミック又はプラスチックで作られている装置。
【請求項７０】
請求項５７の装置であって、前記支持構造は木、金属、セラミック、ガラス、プラスチック又は板紙で作られている装置。
【請求項７１】
請求項５７の装置であって、前記燈心は０.６３乃至１.９１ｍｍ（０.０２５乃至０.０７５インチ）厚、２.５４乃至３０.５ｃｍ（１乃至１２インチ）幅である装置。
【請求項７２】
請求項５７の装置であって、前記容器中の前記可燃性液体の量は２乃至６４オンス（約５６ｇ乃至１８１４ｇ）である装置。
【請求項７３】
請求項７２の装置であって、前記可燃性液体の量はおよそ１２オンス（約３４０ｇ）である装置。
【請求項７４】
請求項５７の装置であって、前記液体は鉱油、パラフィン油、脂肪族炭化水素油、ナフテン炭化水素油、灯油、アルコール、植物油、表面活性剤、脂肪酸、トリグリセリド、グリセリド又はエーテルから成るグループから選択される装置。
【請求項７５】
無機繊維質材料で作られ、０.６３乃至１.２７ｍｍ（０.０２５乃至０.０５インチ）厚と、２.５４乃至１２２ｃｍ（１インチ乃至４８インチ）幅を有する材料片のからなる燈心。
【請求項７６】
請求項７５の燈心であって、前記無機繊維質材料はセラミック、フリットガラス、グラスファイバー、磁器、石、テラコッタ、アスベスト、黒鉛、ポリアミド、ポリエチレン、及びそれらの組み合わせから成るグループから選択される燈心。
【請求項７７】
請求項７５の燈心であって、前記材料片は２.５４乃至９１.５ｃｍ（１乃至３６インチ）の高さを有する燈心。
【請求項７８】
請求項７５の燈心であって、前記材料片は両側が平らなシートである燈心。
【請求項７９】
請求項７８の燈心であって、前記燈心はシートの平らな側面に装飾を表示する燈心。
【請求項８０】
請求項７５の燈心であって、前記燈心は上から見たときに装飾的な形として構成されている燈心。
【請求項８１】
請求項８０の燈心であって、前記構成された装飾的な形は円弧形、円形、線形、正方形、三角形、ハート形及びアルファベット文字又は数字の形から成るグループから選択される燈心。
【請求項８２】
請求項７５の燈心であって、前記無機繊維質材料は透水性である燈心。
【請求項８３】
請求項８２の燈心であって、前記燈心は芳香放出装置に含まれている燈心。
【請求項８４】
請求項７５の燈心であって、前記材料は染められている燈心。
【請求項８５】
可燃性液体を保持する室を画定しかつ開放上端を有するボディーと；
前記可燃性液体に接するために前記ボディーの前記室内に位置する下端と、前記ボディーの前記開放上端から上方に突出する上端を有するシート状燈心であって、高熱伝導率を有する材料を含まないシート状燈心と；
前記燈心の上部の上方に延伸する第１の熱伝導部と、前記ボディーの前記室内に位置する第２の熱伝導部を有する熱伝導要素と；
各プレートが上部と、前記ボディーの前記室内に位置する下部とを有する互いに離間して対向する第１及び第２のプレートであって、該両プレートの間に前記シート状燈心を挟む第１と第２のプレートと；
を含んでなる装置。
【請求項８６】
請求項８５の装置であって、取り外し可能なカバーをさらに含み、前記カバーは前記燈心を受ける開口と、少なくとも１つの空気孔を有する装置。
【請求項８７】
可燃性液体を保持する室を画定しかつ開放上端を有するボディーと；
前記可燃性液体に接するために前記ボディーの前記室内に位置する下端と、前記ボディーの前記開放上端から上方に突出する上端を有する平らな燈心であって、高熱伝導率を有する材料を含まない燈心と；
前記燈心の前記上端の上方に延伸する第１の熱伝導部と、前記ボディーの前記室内に位置する第２の熱伝導部を有する熱伝導要素と；
を含んでなる装置。
【請求項８８】
可燃性液体を保持する室を画定しかつ開放上端を有するボディーと；
各プレートが前記開放上端に隣接する上部と、前記ボディーの前記室内に位置する下部とを有する互いに離間して対向する第１と第２のプレートと；
前記第１及び第２のプレートの間に挟まれ、かつ、前記可燃性液体に接するために前記ボディーの前記室内に位置する下端と、前記第１及び第２のプレートの前記上部から上方に突出する上端とを有する平らな燈心であって、高熱伝導率を有する材料を含まない燈心と；
前記第１及び第２のプレート間に前記燈心を挟むために前記第１及び第２のプレートの側縁に位置する少なくとも１つのクリップであって、前記燈心の前記上端の上方に延伸する第１の熱伝導部と、前記ボディーの前記室内に位置する第２の熱伝導部とを有する少なくとも１つのクリップと；
を含んでなる装置。
【請求項８９】
可燃性液体を保持する室を画定しかつ開放上端を有するボディーと；
各プレートが前記開放上端に隣接する上部と、前記ボディーの前記室内に位置する下部とを有する互いに離間して対向する第１と第２のプレートと；
前記第１及び第２のプレートの間に挟まれ、前記可燃性液体に接するために前記ボディーの前記室内に位置する下端と、前記第１及び第２のプレートの前記上部から上方に突出する上端とを有する平らな燈心であって、高熱伝導率を有する材料を含まない燈心と；
前記ボディーの前記室に設けられ前記ボディーの上周囲で外側に延伸するリッジであって、前記ボディーの最も外側の表面を超えて延伸するリッジと；
前記平らな燈心を前記第１と第２のプレートの間に挟むために前記第１と第２のプレートの側縁に設けた少なくとも１つのクリップと；
を含んでなる装置。
【請求項９０】
請求項８９の装置であって、前記室の前記リッジに少なくとも１つの熱及び芳香放出孔をさらに含む装置。
【請求項９１】
可燃性液体を保持する室を画定しかつ開放上端を有するボディーと；
各プレートが前記開放上端に隣接する上部と、前記ボディーの前記室内に位置する下部とを有する互いに離間して対向する第１と第２のプレートと；
前記第１及び第２のプレートの間に挟まれ、かつ、前記可燃性液体に接するために前記ボディーの前記室内に位置する下端と、前記第１及び第２のプレートの前記上部から上方に突出する上端とを有する平らな燈心であって、高熱伝導率を有する材料を含まない燈心と；
前記ボディーの前記室に設けられ前記ボディーの上周囲で外側に延伸するリッジであって、前記ボディーの最も外側の表面を超えて延伸するリッジと；
を含んでなる装置であって、前記第１と第２のプレートは該両プレートの外縁に沿って取り外し自在に係合するように設けられている装置。
【請求項９２】
可燃性液体を保持する室を画定しかつ開放上端を有するボディーと；
前記可燃性液体に接するために前記ボディーの前記室内に位置する下端と、前記第１及び第２のプレートの前記上部から上方に突出する上端とを有する平らな燈心であって、高熱伝導率を有する材料を含まない燈心と；
前記ボディーの前記室に設けられ前記ボディーの上周囲で外側に延伸するリッジであって、前記ボディーの最も外側の表面を超えて延伸しかつ少なくとも１つの熱及び芳香放出孔を有するリッジと；
各プレートが前記開放上端に隣接する上部と、前記ボディーの前記室内に位置する下部とを有する互いに離間して対向する第１と第２のプレートであって、前記平らな燈心を該両プレートの間に挟む第１及び第２のプレートと；
を含んでなる装置。
【請求項９３】
請求項９２の装置であって、前記燈心の前記上部の上方に延伸する第１の熱伝導部と、前記ボディーの前記室内に位置する第２の熱伝導部を有する熱伝導要素をさらに含む装置。
【請求項９４】
請求項９２の装置であって、前記第１と第２のプレートは該両プレートの外縁に沿って取り外し自在に係合する装置。
【発明の詳細な説明】
【技術分野】
【０００１】
本発明は一般に照明と芳香放出のための装置に関し、特に、石油ランプ、エアフレッシュナ又は芳香放出装置に関する。
【背景技術】
【０００２】
石油ランプは装飾的な照明と芳香性の目的で長い間使用されている。石油ランプはガラスかセラミック材料で通常作られている。金属、プラスチック及び木のような代替材料を先端技術と共に使用できるだろう。そのようなランプは、通常、可燃性液のリザーバを保持する室を画定するボディーと、該可燃性液を毛管作用により上昇させる燈心を含む。燈心は、ボディーの上部の開口から延伸する上端と、液体リザーバに接触する下端を有する。有効な毛管作用のために、燈心は、通常、綿やグラスファイバーの糸などのロープのように編まれたファイバーコードとして構成される。ランプは、点火されると、可燃性液体によって与えられる涙炎を形成する。そのようなランプは芳香の目的のために香油を取り入れることができる。
【０００３】
燈心は、屋内で使用する場合、６.３５乃至２５.４ｍｍ（１／４乃至１インチ）径、野外での使用の場合、１.５９乃至６.３５ｍｍ（１／１６−１／４インチ）径を有する丸形である。直径が大きくなるのにつれ炎の高さは大きくなる。石油ランプはろうそく（キャンドル）と同じ規則、３インチ内側を持つ。これらの編んだ燈心は通常湾曲せず、カーボン炭素ヘッダーを作らない。グラスファイバーは熱伝導体として作用する。
【０００４】
燈心のロープ状の構成から生じる涙炎は望ましくない陰を生じさせ、あるいは、装飾的訴求を制限する。さらに、伝統的なランプでの芳香の放出は香油のリザーバに熱を伝導する燈心の性能に結びついている。しかしながら、毛管作用を促進する材料、すなわち、多孔材はしばしば熱伝導が不十分である。従って、芳香放出は最適でない。これと戦うために、燈心は、しばしば、毛管作用を犠牲にする銅線のような高熱伝導率を有する材料とされる。
【０００５】
石油ランプ又は芳香散気装置に使用される燈心が織られ若しくは編まれた綿又は繊維材料で作られるので、燈心はかなりの湾曲性を有する。従って、編んだ燈心は、その直線度と中央位置を維持するためにその周りに壁又はクランプを必要とする。壁をガラス、金属又はセラミックとすることができる。石油ランプの芯の形状は通常丸い。そういった燈心は上部外側の装置に固定され、そこでは、燈心がランプの内側ベースに緩く落ち込む。これは液体が燈心を登るといる毛管流に影響を及ぼし、望ましくない、あるいは、不ぞろいの炎の高さを生じさせる。そうでなければ、壁のようなトンネルは燈心を囲むが、燈心はしっかりと保持されずにトンネルを通り抜けてランプか散気装置の内側ベースに向かって液体内に落ちる。これは炎を消し、そして、孔のサイズによって、燈心を引き出すことは不可能かもしれない。クランプ又はトンネルのような壁は、デザインによっては、必要な燈心の交換をすることを難しくするかもしれない。
【０００６】
通常、石油ランプは、単一の燈心を挿入し油をランプの内側ベースに満たす小孔を１つ有する。これは過度のたれ流しを引き起こす場合があり、安全にランプを満たす漏斗などの追加ツールが必要であるかもしれない。さらに、燈心は内側ベース内に落ちるかもしれず、その容易な取り出しは制限されるかもしれない。
【発明の開示】
【０００７】
本発明はさまざまな装飾的な応用例で使用可能な石油ランプと芳香散気装置に関するものであり、向上された毛管動作によるユニークな炎を形成し、かつ、燈心に高熱伝導率を有する材料を使用する必要がなく、芳香放出を高めるために香油リザーバに熱を伝達する改良された手段を提供する。
【０００８】
ここに提供するものは、さまざまな装飾的な用途として使用可能でなるユニークな炎を形成する石油ランプである。ランプは、開放上端を有しかつ可燃性液体を保持する室を画定するボディーを含む。ランプは、可燃性液体に接するためにボディーの室内に位置する下端と、開放上端から上方に突出する上端を有するシートシート状燈心をさらに含む。毛管作用を高めるために、互いに離間し対向する第１及び第２のプレートの間に燈心を置くことができ、ランプは、点火されると、ユニークな炎を形成する。必要に応じて、ランプは、加熱の際に芳香の放出を促進するために、香油を含むことができ、また、高熱伝導率を有する材料を含まないように燈心を構成することができる。高熱伝導率は熱を伝達する能力を意味し、高熱伝導材料は高熱環境下で溶融せず、割れもせず、粉々にならない材料である。金属は高熱伝導材料の例である。
【０００９】
発明の実施の形態の詳細な例では、ランプは、プレートと燈心を一緒にクランプするための複数のクリップをさらに含む。少なくとも１つのクリップは、燈心の炎がクリップを加熱するように燈心の上部の上方に延伸し、該上部の上の方に曲がる上部と、液体のリザーバに接するように位置する下部を含むことができ、その結果、炎からリザーバに熱を伝導する。
【００１０】
好ましい実施の形態はインタロック外プレート（クランプでない）を含み、燈心がこれらのプレートよりも上方及び下方に延伸するように設けることができる。両プレートがしっかり燈心を保持するので、燈心はプレートを通り抜けて落ちることがなく、安定した高さを維持する。
【００１１】
発明の好ましい実施の形態の別の詳細な例では、燈心の上部がそれを上から見たときに、線、アーチ、円、正方形、三角形、ハート形又はアルファベット又は数字の形などの、選択された装飾的な形を形成するように、プレートは燈心を保持するように構成される。
【００１２】
別の好ましい実施の形態では、燈心は例えば、アルミ、真鍮、ガラス又はスチールから作られたプレートに巻きつけられる。
【００１３】
好ましい実施の形態では、ポリエーテルスルホン（ＰＥＳ）又はＵＬ−９４テストにより少なくともＶ−０レートを有する他のポリマーから作られ流体を保持する室は良い候補である。室は燈心を垂直に保持するように設計されており、従って、流体を室に安全かつ簡単に充填することができる。ポリエーテルスルホン（ＰＥＳ）は木、金属又はプラスチックなどの代替材料に接触することからくる熱を減少させる。
【００１４】
追加好ましい実施の形態は、比較的硬い自然に形成された鉱物質、又は、砂や石灰岩などの石化物質を含む。高透水性物質は毛管作用で液体を運び、燃焼蒸気を放出するその物質の上部に向かって油を上向きに移動させ、燃焼イオン化や熱伝導を増加させる。その物質の形状を例えば、円形、正方形、線形、曲線形、三角形、ハート形、星形又はアルファベット若しくは数字の形とすることができる。さらに、硬い物質は硬いまま残るので、追加のクリップ、プレート又は壁を設けることなく自立することができる。
【００１５】
剛性と一貫した炎の高さを維持するために、編んだファイバーの燈心を鉱物と組み合わせることができる。固化した鉱物は外側プレートの位置で使用され、むしろそれらは一緒に成型されるだろう。
【００１６】
シートシート状燈心は、織られた物質か中実物質に関係なく、油又はアルコールベースの製品に対して使用することができる。より厚い燈心は植物ベースの油に対して使用され、より薄い燈心が石油又はアルコールベースの液体に対して使用される。
【００１７】
織布は、ロービング織物グラスファイバー、マットグラスファイバー、無方向性グラスファイバー、２方向グラスファイバー、ポリアミド繊維、黒鉛繊維及びポリエチレン繊維から成るグループから選択された繊維材料から作ることができる。
【００１８】
従来の石油ランプの設計は、ランプが燃えているとき、周囲環境に芳香を分散することを促進しない。これは、ランプが作動する間に、芳香が燃料から空気中に放出される機会が全くないということによるものである。石油ランプが燃えるときに、芳香はランプの炎の中の燃料と共にほぼ完全に消費される。従って、従来の石油ランプの燃料へ芳香物質を添加しても、周囲の空気の中に芳香を分散する効果はない。芳香の例は、ラベンダー、杉、シナモン、糸杉、常緑樹、クチナシ、青りんご、スイカズラ、ジャスミン、レモン、マルベリー、ニュートラル、潮風、パチョリ、ペパーミント、タンジェリン、バニラ、ワイルドボタン、ビャクダンであり、これらは、樹木、花、フルーティー、グリーン等として定義可能でである。
【００１９】
単一の燈心を有しガラスから作られた伝統的な石油ランプデザインは揮発性の要素を空気に放出しない。なぜならば、燃料が炎によって焼き尽くされるからである。従って、揮発性の要素を放出するために、熱伝導装置を加えなければならない。多くの石油ランプのデザインはここに１つ以上の材料、即ち、金属とセラミックを組み込む。これらの材料は透水性（例えば、セラミック又は石）あるいは高熱伝導性（例えば、金属）により、芳香を発することが知られている。さらに、使用される燃料のタイプは芳香又は空気浄化放出に影響する。アルコールはより多くの蒸気を放出するので、油性品に比べて、より多くの揮発要素を放出させる。それは芳香放出装置又は空気清浄器を備える石油ランプである。
【００２０】
換言すれば、セラミック若しくは金属のプレート又は上部を有するすべての石油ランプにエアフレッシュナと芳香放出装置を適用することができる。金属は芳香又は空気清浄化燃料を加熱し、該加熱された物質は香り又は清浄化物質を空気中に放出する。また、多孔性の鉱物材料を用いる設計は、炎からの熱と組み合わされる透水性により芳香又は空気浄化燃料を放出することを助長する。空気浄化燃料の例は、ニュートラル、潮風、レモン、オレンジ及びペパーミントである。
【００２１】
ランプによって消費される燃料は、周囲温度又は室温で少なくとも１つの液体成分を有するいかなる可燃性の有機材料とすることができる。典型的な燃料は鉱油、パラフィン油、脂肪族炭化水素油、ナフテン炭化水素油、灯油、低炭化水素、アルコール、植物油、表面活性剤、脂肪酸、トリグリセリド、グリセリド及びエーテルを含むことができる。好ましい燃料は、鉱油と、トリグリセリドと植物油である。燃料は、燃料の外観を改良するために油溶性染料その他の着色材などの着色材を含むことができる。そのような燃料はまた、燃やされると有色炎を発生させる鉱物塩を含むことができる。
【００２２】
流体搬送手段として使用できる適当な毛細管は、ガラス、金属、プラスチック又は液体燃料と揮発性材料に利用できかつ毛管作用による液体の移動を可能にするいかなる他の材料とすることができる。毛管形成のための好ましい材料は、入手の容易さ、耐薬品性及び審美性のために、ガラスである。毛管搬送手段を容器の一体部分として容器に統合することができ、又は、分離構造要素としてランプに組み込むことができる。
【００２３】
流体搬送手段として使用できる適当な多孔性の無機物質はセラミック、フリットガラス、グラスファイバー、磁器、石、テラコッタ、アスベスト又は材料マトリクス中に網状の開口かチャンネルを含む他の無機物質を含む。好ましい構造材料は、使いやすさ、柔軟性、及び燃料と揮発性材料の液体を搬送する高い能力のために、グラスファイバーである。
【００２４】
液体搬送手段として使用できる適当な多孔性の有機材料はセルロース材料、綿、麻、リネン、絹、紙、大麻及び木を含む。これらの材料は、それらのマトリクス中に自然発生した間隙を有するので、それらは液体の搬送によく適している。好ましい多孔性の有機材料は、経済性と、効率的な搬送特性のために、綿である。
【００２５】
ここに開示されるものは、概要として、石油（オイル）ランプ、オイルキャンドル、芳香散気装置及び／又は、エアフレッシュナの様々なデザインである。編んだ燈心は剛性を維持するために中実の鉱物と組み合わせることができる。編んだ燈心は、粗紡グラスファイバー、マットグラスファイバー、一方向性グラスファイバー、双方向性グラスファイバー、ポリアミド繊維と、黒鉛繊維、ポリエチレン繊維とすることができる。あるいはまた、砂岩や石灰岩などの中実の鉱物燈心を使用できる。燈心を色々な形とサイズに設けることができ、また、安全を考慮して設計することができる。芳香分散機として燈心を使用できる。燈心は、植物油、動物油又は石油ベースの液体はもちろん、油、アルコールその他同様のものに対して使用される。固形物材料は透水性の大きい固められた鉱物とすることができる。芳香分散機の場合、石の燈心をその高透水性のため芳香を放出するように使用できる。芳香分散機の場合、また、編んだ燈心に組み合わせた金属かセラミックのプレートは芳香を空気に放出する芳香油を加熱する。
【００２６】
ここでは、ランプのための多くの安全設計上の特徴が存在する。例えば、開放された燃料を覆うユニークな上部が備えられ、それにより、燃料が汚染粒子により汚染されることを防止し；蓋はすすの放出を排除し安全に炎を消すろうそく消し（燈芯消し）として設計され；室は、燈心を常に垂直に保持するブラケットを備えるように設計され；室は通気孔を有し、かつ、過熱されるかもしれない材料に対するバリアを有し、これにより、ベースランプのより安全な温度品質を維持し；燈心プレートは燈心を所定位置にしっかりとクランプするので燈心がプレート間で落ちることなく、あるいは、不ぞろいな炎の高さを生じさせることがない。
【００２７】
本発明の他の特徴と利点は図示される添付図面に関連してなされる以下の好ましい実施の形態の説明で明らかになる。図面は本発明の原理を例として示すものである。
【発明を実施するための好ましい態様】
【００２８】
本発明の実施の形態をここで添付図面に関連して例示的に説明する。
【００２９】
説明的な図面、特に、図１に、可燃性液体を保持する室１４を画定しかつシート状燈心１６を有するボディー１２を備えるランプ１０が示されている。この開示の目的に関し、用語「ランプ」は照明のために構成される装置を言う。ランプは、液体が燈心を登る毛管作用を促進するために、室内へ延伸して燈心を固定押圧する２枚のプレート１８を含む。ランプは点火されると、さまざまな装飾的使用として使用可能なユニークな炎を形成する。ボディーは、両プレートを固定しかつ炎から液体リザーバへ熱を伝達する複数のクリップ２０（それらの１つだけが図示されている）である熱伝導要素をさらに含み、これらの熱伝導要素は、香油と共に使用されると、芳香の放出を促進する。そのうえ、本発明は、燈心が高熱伝導性である必要をなくすことができる。
【００３０】
図２に関して、複数のクリップ２０（それらの１つだけが図示されている）は両プレートの側縁に設けられている。クリップは両プレート間で燈心を押圧支持するサイドフランジ２２を含み、クリップは燈心を押圧支持することによって、液体が燈心を登る毛管作用を高める。燈心１６は、その上部（上端）１６ａがランプのボディーの外へ延伸し、かつ、下部（下端）１６ｂが両プレートの下縁を超えて液体に接するように延伸する状態で両プレート間に位置して適当な大きさとされている。使用の際に、燈心の上部が点火されるので、炎は燈心の形に従いながら、燈心の上部を横切るように存在する。この実施の形態では燈心は真直であるが、様々な形で燈心とプレートを構成できるのが理解されるべきである。例えば、燈心を特定の装飾の使用に基づき、上から見たときに、アーチ形、円形、正方形、三角形、ハート形、アルファベット又は数字の形に構成できる。
【００３１】
燈心１６の材料と厚さは、使用される液体に対して、主として燃焼時間と毛管作用を促進するように選択される。ステンレス、アルミ、真鍮、青銅その他同様物の高熱伝導率を有する材料で燈心を構成することは不要である。燈心は、可燃性液体が石油ベースのパラフィンであるとき、約８オンス（約２２７ｇ）の重さのグラスファイバーの単一シートとすることができる。この実施の形態では、燈心はおよそ２４オンス（約６８０ｇ）の重さの３枚のグラスファイバーで作られている。燈心は、また、綿、炭素、又は、燃焼時間が長くかつ美的訴求力を高めるために種々の色に染ることができる他の材料で作ることができる。燈心の上部は燈心の燃焼端を縁どることを避けるように制限されるかもしれない。この実施の形態では、燈心１６の上端はプレートのおよそ１.５９乃至６.３５ｍｍ（１／１６インチから１／４インチ）上まで延伸し、かつ、燈心１６の下端はプレートのおよそ１２.７乃至１９.１ｍｍ（１／２インチから３／４インチ）下まで延伸する。燈心の水平方向の長さはプレートより少なくとも６.３５ｍｍ（１／４インチ）短い。これにより、確実に、燈心が水平方向にプレートを超えて延伸することがなく、故に、炎が上段室１４（図１）に広がることを避けることができる。この実施の形態では、燈心は、燈心における液体の上方先端への移動を確実にするために、望ましくは縦方向の高さが７.６２ｍｍ（３インチ）未満である。
【００３２】
引き続き図２を参照すると、クリップ２０は、燈心の炎がクリップを加熱することになるように燈心１６に向かって湾曲する上部２４を有し、かつ、液体リザーバ内に延伸する下部２６をさらに含む。各クリップはランプ１０のボディー１２に比べて比較的高い熱伝導率を有する熱伝導材料で作られている。この実施の形態では、各クリップはおよそ８.８９ｃｍ（３.５インチ）の高さを有する。この熱伝導要素をステンレス、アルミ、真鍮、青銅その他の熱伝導材料で作ることができる。クリップの下部は液体と棚２８（図１）に接するように位置される。他の実施の形態（図６）では、クリップは上部を含まないかもしれない。
【００３３】
図１と２に関して、プレート１８は上段室１４に吊される。この実施の形態では、プレート１８は、その厚さが少なくとも３.１７ｍｍ（１／８インチ）であり、ガラスで作られ、又は、壊れ、割れ若しくは粉々にならないで高温に耐える同様の材料で作られている。各プレートは、およそ３１.７５ｃｍ（１２.５インチ）の水平な長さ、およそ５.０８ｃｍ（２インチ）の高さ及びおよそ３.１７ｍｍ（１／８インチ）の厚さを有する。プレートは、ランプのボディー１２への熱伝導を抑えるために、ランプ１０の上面３０から少なくとも６.３５ｍｍ（１／４インチ）上方に延伸し、プレートは棚２８に接することなく、むしろ、クリップを使用することで該棚の少なくとも１.５９ｍｍ（１／１６インチ）上に吊される。上面は香油を保持する窪み部分（図示省略）を有することができる。プレートは、燈心が液体（図示省略）に接触できるように棚の上に吊される。代替的に、プレートを棚の表面の上の何らかの距離の所に支える装置（図示省略）を棚に組み込みことができ、そうすれば、プレートを吊す上面３０を必要とせず、そのため上段室１４は露出される。代替的にプレートを棚に接触させることもできる。
【００３４】
図１、３及び４を参照し、ランプのボディー１２は目の形をしており、高さＨ１を有する。この高さは、およそ１３.９８ｃｍ（５.５インチ）であるかもしれない。しかしながら、ランプのボディーを円形、正方形、長方形、多角形又は湾曲した形などのいかなる形状にできることが理解されるべきである。ランプのボディーは比較的低い熱伝導率も有する材料から作られている。この材料はアルミ、スチール、銅、真鍮、プラチナ、樹脂他の材料とすることができる。ランプの外部ボディーを外部ベニヤ１３で覆うこととしてもよく、該ベニヤは、木、革、ワックス、磁器若しくはそれらに類似するもの又は同様の美的訴求力を備える外観のものを含む。ランプは長さＬ１、ここでは、３８.１ｃｍ（１５インチ）、各端部における幅Ｗ、ここでは、２.５４ｃｍ（１インチ）を有するが、その他のいろいろな代替サイズとすることができることが理解されるべきである。
【００３５】
引き続き図１に言及し、ランプは、棚２８によって分離された２つの室、上段室１４及と下段室３２を含む。また油室と呼ばれる上段室１４は液体を保持するように構成される。好ましい実施の形態では、液体は植物ベースの非毒性の香油である。また、液体は、石油ベースのパラフィン又は他の可燃性燃料であるかもしれない。下段室は熱が棚を介してランプが載っている面に至るまでの熱損失率を低下させる断熱室として機能し、断熱機能を高めるためにそこを泡他の材料で満たすことができる。ランプ１０は、さらに、液体が減ったときにそれを充填又は補給する１つ以上の孔３４をボディー１２の上面３０に有する。好ましい実施の形態では、１つ以上の孔３４は横方向に延伸する燈心１６の一端か両端に位置する。ランプが香料入りの液体を含むとき、孔はまた、芳香を環境に放出することを促進する。室１４，３２は垂直に整列されている。代替的に、１個の室だけを有するか又は第３の室、中段室３６（図５）を有するようにランプを構成できる。
【００３６】
図７に言及し、ランプ１０はさらに細長い蓋３８を含むことが示される。蓋は、炎とリザーバへの空気供給を完全に遮断することによって燈心を消すために設けられる。燈心を消すために、ユーザはボディー１２の上に蓋を置く。１つの実施の形態では、蓋はボディーに固定されるように構成される。
【００３７】
ここで、図８に言及すると、シート状燈心１６’は剛性のプレート１８’の周りのスリーブとして構成される。プレートはアルミで形成され、耐食性を高めるためにそれをメッキすることとしてもよい。プレートをまた、真鍮、スチール、ガラス他の適当な材料で形成することもできる。燈心はプレートの周りに巻かれ、グラスファイバー糸などの熱抵抗力がある糸によって適所で縫われる。望ましくは、燈心は毛管作用をさらに助長するようにプレートの周りにタイトに縫われる。
【００３８】
以上の説明から、本発明は、さまざまな装飾的な応用で使用可能な石油ランプであって、改良された毛管作用でユニークな炎を形成し、高熱伝導率を有する材料を燈心に使用する必要がなく、芳香放出を増強するために香油リザーバに熱を伝導する改良手段を有する石油ランプを提供することが理解されるべきである。
【００３９】
図９−１２は、本発明の代替インタロックプレートデザインを示す。そのデザインは約５.３４ｃｍHｘ７.３９ｃｍWｘ１.０ｍｍ厚（約２.１１インチHx２.９１インチWx０.０４インチ厚）の寸法を有する第１のプレート１００を含むことがわかる。第２のプレート１０４はＬ形であり、幅が共に約７.８ｍｍ（約０.３１インチ）である脚１０８と腕１１２を備える。Ｌ形プレート１０４と長方形プレート１００を１枚のアルミニウムシートを切断曲げ加工して、例えば、図１２に示す連結ヒンジ１１６で連結されたこれらの平行な２枚のプレートとして形成することができる。
【００４０】
図９−１２のデザインの、先に説明したクリップのデザインより優れた利点は、４つのパーツ（２つのプレートと２つのクリップ）ではなく２つのパーツが使用されていることであり、これは費用を下げ、それをより安定させ；燈心を所定位置に固定し、組立をより容易にし；完全なピースとする。クリップは燈心の周りに組み付き、燈心はプレートの上に３.１７乃至６.３５ｍｍ（１／８−１／４インチ）延伸し、燃料を吸収するためにプレートの下に３.１７乃至６.３５ｍｍ（１／８−１／４インチ）垂れ下がる。完全な燈心ピースは、次に、室の底部又はランプベースの中心壁間に置かれ、燈心を常に適切な位置に保つ。即ち、燈心を上部から吊り下げることに代えて、燈心を支持するために前記底部に壁ユニットに組み込むことができる。それを底部に固定することによって、ユーザは、燈心に触れずに、ランプを満たすことができる。これは、より簡単、より安全、かつ、より清潔である。
【００４１】
図１３−１５は、底部材料へ伝達される熱を減少させる気流を供給するために図１３に示されるように脚１６０を有する本発明の油室又は液体室１５０を示す。この室を、例えば、ポリエチレン、金属又はセラミックで作ることができる。図１４に示すリッジ１７０は、例えば、底部材料を熱と燃料のたれ流しから保護する。同様に図１４に示される通気孔１７６は、例えば、熱と芳香を放出するために設けられる。図１４と１５に示すように、１組の離間する組込壁１８０は燈心を中心に置きかつ垂直に保つ。燈心は、ガラスかセラミックプレートが使用されるなら、約６.３５ｍｍ（１／４インチ）厚であり；金属シートが使用されるなら、約３.１７ｍｍ（１／８インチ）厚である。図示の壁は、ガラス又はセラミックのデザインであるが、好ましい実施の形態は金属であり、その耐久性及び費用によるものであり、かつ、金属を使用は芳香の放出を高めるからである。
【００４２】
図１６−１８に中実の鉱物燈心アセンブリを示す。自立している中実の鉱物燈心２００を図１８に最も良く示している。プレート２０４，２０８は燈心を垂直に保持するために組み込まれている。上部プレート２１２はベース２３０によって形成された室２２０中の流体を保護する。ベースは木、金属、セラミックのガラス、プラスチック又は同様のもので作られている。内蔵の燈心消し２４０を図の上部に示す。要素２５０はセラミック、ガラス、金属又はポリマーで作られた内室である。燈心の材料は垂直な毛細管流を伴う砂岩や石灰岩などの非常に多孔性の材料とすることができる。望ましくは、それは既存の岩石から所定のサイズにカットされる。燈心は、油ランプか芳香ランプのサイズに従って、３.１８乃至１２.７ｍｍ（１／８−１／２インチ）厚、望ましくは、６.３５ｍｍ（１／４インチ）厚、及び１２.７乃至２５４ｍｍ（１／２〜１０インチ）幅である。
【００４３】
図１９−２１に代替の中実の鉱物３００を示す。その燈心アセンブリは、図１９から理解できるように９.９ｃｍ（３.９０インチ）の高さをもち、また、図２０と２１から理解されるように、上部において７.６２ｃｍ（３.００インチ）の幅を有することができる。燈心アセンブリは、同様に、中実の鉱物燈心３１０と、該燈心を垂直に保持するプレート３２０を含む。
【００４４】
図２２−２４に発明のさらなる実施の形態の繊維材料を備える中実の鉱物燈心３６０を示す。図２４において、繊維材料心３７０を囲む中実の無機質材料３６４が示される。センタリングプレート３８０はそれを中心かつベースの中に垂直に保持する。内室３９０はベースの中に形成され、炎を消す燈心消し４００を備える。燈心消し４００は耐熱性の上部を有する。図示の燈心層は石材にからみ合う繊維を示している。繊維は垂直に流れて、グラスファイバーか黒鉛などの無機物質から作ることができる。石は耐高熱性かつ耐炎性の透水性の粘土のような鉱物の混合物とすることができる。燈心を形成するために、鋳型内に繊維材料を垂直に置き、鋳型に液体粘土を注ぎ込んで約６.３５ｍｍ（約１／４インチ）厚の薄板を形成する。その幅は、石油ランプのサイズに依存して、１２.７乃至２５４ｍｍ（１／２インチから１０インチ）とすることができる。ベースが可燃性の非耐熱材料（例えば、木、プラスチック、板紙）から作られるならば、要素４１０は追加室であり、さもなければ、それは耐高熱性かつ耐炎性の材料（例えば、金属、ガラス、セラミック）から作られるベースの内側である。
【００４５】
図１９−２１に示すものと同様である代替のアセンブリのデザイン４６０を図２５と２６に示す。それは、図２５によれば、８.３８ｃｍ（３.３０インチ）の幅及び７.６２ｃｍ（３.００インチ）の高さを有することができる。
【００４６】
概要として、さまざまな装飾的な応用例で使用可能なユニークな炎を形成する石油ランプがここに開示される。ランプは、可燃性液体を保持する室を画定しかつ開放上端を有するボディーを含む。ランプは、可燃性液体に接するためにボディーの室内に位置する下端と、開放上端の上方に突出する上端を備えるシート状燈心をさらに有する。毛管作用を高めるために離間し対向する第１及び第２のプレートの間に燈心を配設することができ、あるいは、剛性プレートの周りを包むように燈心を設けることができる。点火されると、ランプはユニークな炎を形成する。必要に応じて、ランプは加熱の際に芳香の放出を促進するために香油と熱伝導要素を含むことができ、燈心が高熱伝導率を有する材料を含まないように構成できる。
【００４７】
以上の詳細な説明によって、本発明の多くの変形、適合及び修正ができることは当業者にとって明白である。発明の範囲はここに開示された異なる実施の形態のいかなる要素の組み合わせ（部分組立、組立及びその方法はもちろん）を含む。従って、発明の技術的思想から逸脱することのない、そのようなすべての変形は本発明の範囲内であることを意図する。
【図面の簡単な説明】
【００４８】
【図１】細長い燈心を保持するように構成したボディーを有する本発明による石油ランプの好ましい実施の形態の断面視図である。
【図２】図１のランプの燈心、プレート及びクリップの部分斜視図である。
【図３】図１のランプの側面図である。
【図４】図１のランプの平面図である。
【図５】段に配列した３個の室を有する第２の好ましい実施の形態のランプの断面斜視図である。
【図６】本発明による石油ランプに使用する燈心、プレート及び代替クリップ構成の断面斜視図である。
【図７】細長い蓋を取り入れた図１に示すランプの斜視図である。
【図８】金属板の周りに折り曲げられた細長いシート状燈心を含む本発明の石油ランプの第２の好ましい実施の形態の斜視図である。
【図９】本発明の代替インタロックプレートデザインの斜視図である。
【図１０】図９のインタロックプレートの側面図である。
【図１１】図９のインタロックプレートの正面図である。
【図１２】図９のインタロックプレートの平面図である。
【図１３】本発明の油室又は流体室の側面図である。
【図１４】図１３の室の平面図である。
【図１５】図１３の室の断面図である。
【図１６】本発明の中実鉱物燈心室アセンブリの側面図である。
【図１７】図１６のアセンブリの平面図である。
【図１８】図１７の１８−１８線断面図である。
【図１９】図１６のアセンブリの代替手段である。
【図２０】図１９の代替手段の平面図である。
【図２１】図２０の２１−２１線断面図である。
【図２２】本発明の別の代替アセンブリである。
【図２３】図２２の代替アセンブリの平面図である。
【図２４】図２３の２４−２４線断面図である。
【図２５】本発明の代替室の側面図である。
【図２６】図２５の室の平面図である。
【図１】
2007520033.tif 000003
【図２】
2007520033.tif 000004
【図３】
2007520033.tif 000005
【図４】
2007520033.tif 000006
【図５】
2007520033.tif 000007
【図６】
2007520033.tif 000008
【図７】
2007520033.tif 000009
【図８】
2007520033.tif 000010
【図９】
2007520033.tif 000011
【図１０】
2007520033.tif 000012
【図１１】
2007520033.tif 000013
【図１２】
2007520033.tif 000014
【図１３】
2007520033.tif 000015
【図１４】
2007520033.tif 000016
【図１５】
2007520033.tif 000017
【図１６】
2007520033.tif 000018
【図１７】
2007520033.tif 000019
【図１８】
2007520033.tif 000020
【図１９】
2007520033.tif 000021
【図２０】
2007520033.tif 000022
【図２１】
2007520033.tif 000023
【図２２】
2007520033.tif 000024
【図２３】
2007520033.tif 000025
【図２４】
2007520033.tif 000026
【図２５】
2007520033.tif 000027
【図２６】
2007520033.tif 000028
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
可燃性液体を保持する室を画定しかつ開放上端を有するボディーと；
前記可燃性液体に接するために前記ボディーの前記室内に位置する下端と、前記開放上端から上向き突出する上端を有するシート状燈心であって、高熱伝導率を有する材料を含まない燈心と；
前記ボディーの前記室内に位置する下部を有する互いに離間して対面する第１及び第２のプレートと：
を含んでなる石油ランプであって：
前記シート状燈心が前記第１のプレートと前記第２のプレートの間に挟まれている石油ランプ。
【請求項２】
請求項１の石油ランプであって、前記燈心の前記上端の上方に延伸し該上端の上方へ湾曲する上部と、前記ボディーの前記室内に位置する下部を有する熱伝導要素をさらに含んでなる石油ランプ。
【請求項３】
請求項１の石油ランプであって、前記燈心は、上から見たときに装飾的な形に構成されている石油ランプ。
【請求項４】
可燃性液体を保持する室を画定しかつ開放上端を有するボディーと；
各プレートが上部と、前記ボディーの前記室内に位置する下部とを有する互いに離間し対向する第１及び第２のプレートと；
前記第１及び第２のプレートの間に挟まれるシート状燈心であって、前記可燃性液体に接するために前記ボディーの前記室内に位置する下端と、前記第１及び第２のプレートの前記上部から上方に突出する上端を有するシート状燈心と；
を含んでなる石油ランプ。
【請求項５】
請求項４の石油ランプであって、前記第１と第２のプレートはガラスから成り、前記燈心は高熱伝導率を有する材料を含まない石油ランプ。
【請求項６】
請求項４の石油ランプであって、前記第１と第２のプレートは、前記燈心の上部が上から見たときに所望の装飾形をなすように前記燈心を間に保持する石油ランプ。
【請求項７】
請求項６の装置であって、前記装飾形は、アーチ、円、正方形、三角形、ハート形、アルファベット、数字から選択されたものである石油ランプ。
【請求項８】
可燃性液体を保持する室を画定しかつ開放上端を有するボディーと；
各プレートが上部と、前記ボディーの前記室内に位置する下部とを有する互いに離間して平行な第１と第２のプレートと；
前記第１と第２のプレートをクランプする複数のクリップと；
前記第１のプレートと前記第２のプレートの間に挟まれ、前記可燃性液体に接するために前記ボディーの前記室内に位置する下端と、前記第１と第２のプレートの前記上部から上方に突出する上端とを有するシート状燈心と；
を含んでなる石油ランプ。
【請求項９】
請求項８の石油ランプであって、前記開放上端に座るように設けた蓋を更に含む石油ランプ。
【請求項１０】
請求項８の石油ランプであって、前記第１と第２のプレートはガラスから成り、前記燈心は高熱伝導率を有する材料を含まない石油ランプ。
【請求項１１】
前記第１と第２のプレートは、前記燈心の上部が上から見たときに所望の装飾形をなすように前記燈心を間に保持する石油ランプ。
【請求項１２】
請求項８の石油ランプであって、前記装飾形は、アーチ、円、正方形、三角形、ハート形、アルファベット、数字から選択されたものである石油ランプ。
【請求項１３】
可燃性液体を保持する室を画定しかつ開放上端を有するボディーと；
前記可燃性液体に接するために前記ボディーの前記室内に位置する下端と、前記ボディーの前記開放上端から上方に突出する上端を有するシート状燈心であって、高熱伝導率を有する材料を含まないシート状燈心と；
前記燈心の上部の上方に延伸する第１の熱伝導部と、前記ボディーの前記室内に位置する第２の熱伝導部を有する熱伝導要素と；
各プレートが上部と、前記ボディーの前記室内に位置する下部とを有する互いに離間して対向する第１及び第２のプレートであって、該両プレートの間に前記シート状燈心を挟む第１と第２のプレートと；
を含んでなる石油ランプ。
【請求項１４】
請求項１３の石油ランプであって、前記チャンバは少なくとも１つの熱及び芳香放出穴を含む石油ランプ。
【請求項１５】
可燃性液体を保持する室を画定しかつ開放上端を有するボディーと；
各プレートが前記開放上端に隣接する上部と、前記ボディーの前記室内に位置する下部とを有する互いに離間して対向する第１と第２のプレートと；
前記第１及び第２のプレートの間に挟まれ、かつ、前記可燃性液体に接するために前記ボディーの前記室内に位置する下端と、前記第１及び第２のプレートの前記上部から上方に突出する上端とを有する平らな燈心であって、高熱伝導率を有する材料を含まない燈心と；
前記第１及び第２のプレート間に前記燈心を挟むために前記第１及び第２のプレートの側縁に位置する少なくとも１つのクリップであって、前記燈心の前記上端の上方に延伸する第１の熱伝導部と、前記ボディーの前記室内に位置する第２の熱伝導部とを有する少なくとも１つのクリップと；
を含んでなる装置。
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
可燃性液体を保持する室を画定しかつ開放上端を有するボディーと；
前記可燃性液体に接するために前記ボディーの前記室内に位置する下端と、前記開放上端から上向き突出する上端を有する平面形状の高熱伝導率を有する材料を含まない燈心と；
互いに離間して対面する第１及び第２のプレートであって、該各プレートの下部は前記ボディーの前記室内に位置し、該各プレートの上部は前記開放上端に隣接して位置し、前記平面形状の燈心をそれらの両プレートの間に挟む第１及び第２のプレートと；
前記第１及び第２のプレートの周縁に係合する少なくとも１つのクリップと；
を含んでなる石油ランプ。
【請求項２】
請求項１の石油ランプであって、前記燈心の前記上端の上方に延伸し該上端の上方へ湾曲する上部と、前記ボディーの前記室内に位置する下部を有する熱伝導要素をさらに含んでなる石油ランプ。
【請求項３】
請求項１の石油ランプであって、前記燈心は、上から見たときに装飾的な形に構成されている石油ランプ。
【請求項４】
可燃性液体を保持する室を画定しかつ開放上端を有するボディーと；
互いに離間して対面する第１及び第２のプレートであって、該各プレートの下部は前記ボディーの前記室内に位置し、該各プレートの上部は前記開放上端に隣接して位置する第１及び第２のプレートと；
前記第１及び第２のプレートの間に挟まれる平面形状の燈心であって、前記可燃性液体に接するために前記ボディーの前記室内に位置する下端と、前記第１及び第２のプレートの前記上部から上方に突出する上端を有する燈心と；
前記第１及び第２のプレートの側縁に配設されて前記燈心を前記第１及び第２のプレートの間に挟む複数のクリップであって、前記複数のクリップのうちの少なくとも１つは上方に延伸し前記燈心の前記上端の上方へ湾曲する上部と、前記第１及び第２のプレートと前記燈心を一緒に挟むサイドフランジと、前記ボディーの前記室内に位置する底部とを含むクリップと；
を含んでなる石油ランプ。
【請求項５】
請求項４の石油ランプであって、前記第１と第２のプレートはガラスから成り、前記燈心は高熱伝導率を有する材料を含まない石油ランプ。
【請求項６】
請求項４の石油ランプであって、前記第１と第２のプレートは、前記燈心の上部が上から見たときに所定の装飾的な形をなすように、前記燈心を保持するように設けられている石油ランプ。
【請求項７】
請求項６の装置であって、前記装飾的な形は、アーチ、円、正方形、三角形、ハート形、アルファベット、数字から選択されたものである石油ランプ。
【請求項８】
可燃性液体を保持する室を画定しかつ開放上端を有するボディーと；
互いに離間して平行な第１と第２のプレートであって、前記ボディーの前記室内に位置する下部はと、前記開放上端に隣接して位置する上部とを有する第１と第２のプレートと；
前記第１と第２のプレートをクランプする複数のクリップと；
前記第１のプレートと前記第２のプレートの間に挟まれ、前記可燃性液体に接するために前記ボディーの前記室内に位置する下端と、前記第１と第２のプレートの前記上部から上方に突出する上端とを有する平面形状の燈心と；
を含んでなる石油ランプであって、前記複数のクリップのうちの少なくとも１つは、上方に延伸し前記燈心の前記上端上方へと湾曲した上部と、前記第１及び第２のプレートと前記燈心を一緒に保持するように設けたサイドフランジと、前記ボディーの前記室内に位置する底部とを有する石油ランプ。
【請求項９】
請求項８の石油ランプであって、前記開放上端に座るように設けた蓋を更に含む石油ランプ。
【請求項１０】
請求項８の石油ランプであって、前記第１と第２のプレートはガラスから成り、前記燈心は高熱伝導率を有する材料を含まない石油ランプ。
【請求項１１】
前記第１と第２のプレートは、前記燈心の上部が上から見たときに所定の装飾的な形をなすように前記燈心を間に保持する石油ランプ。
【請求項１２】
請求項８の石油ランプであって、前記装飾的な形は、アーチ、円、正方形、三角形、ハート形、アルファベット、数字から選択されたものである石油ランプ。
【請求項１３】
可燃性液体を保持する室を画定しかつ開放上端を有するボディーと；
前記可燃性液体に接するために前記ボディーの前記室内に位置する下端と、前記ボディーの前記開放上端から上方に突出する上端を有する平面形状の燈心であって、高熱伝導率を有する材料を含まない燈心と；
互いに離間して対向する第１及び第２のプレートであって、前記ボディーの前記室内に位置する下部と、前記開放上端に隣接して位置する上部とを有し、実質的に開放されかつ溶着されていない周縁を有し、前記平面形状の燈心をそれらの両プレートの間に挟む第１と第２のプレートと；
を含んでなる石油ランプ。
【請求項１４】
請求項１３の石油ランプであって、前記チャンバは少なくとも１つの熱及び芳香放出穴を含む石油ランプ。
【請求項１５】
可燃性液体を保持する室を画定しかつ開放上端を有するボディーと；
前記可燃性液体に接するために前記ボディーの前記室内に位置する下端と、前記開放上端から上方に突出する上端とを有する平面形状の燈心であって、高熱伝導率を有する材料を含まない燈心と；
互いに離間して対向する第１と第２のプレートであって、前記ボディーの前記室内に位置する下部と、前記開放上端に隣接する上部とを有し、前記平面形状の燈心をそれらの両プレートの間に挟む第１と第２のプレートと；
を含んでなる装置であって、前記ボディーの前記室は前記ボディーの上部において外側に延伸する棚を有し、該棚は少なくとも１つの熱及び芳香放出穴を有する装置。
【手続補正２】
【補正対象書類名】図面
【補正対象項目名】図９
【補正方法】変更
【補正の内容】
【図９】
2007520033.tif 000029
【手続補正３】
【補正対象書類名】図面
【補正対象項目名】図１０
【補正方法】変更
【補正の内容】
【図１０】
2007520033.tif 000030
【手続補正４】
【補正対象書類名】図面
【補正対象項目名】図１１
【補正方法】変更
【補正の内容】
【図１１】
2007520033.tif 000031
【手続補正５】
【補正対象書類名】図面
【補正対象項目名】図１２
【補正方法】変更
【補正の内容】
【図１２】
2007520033.tif 000032
【手続補正６】
【補正対象書類名】図面
【補正対象項目名】図１３
【補正方法】変更
【補正の内容】
【図１３】
2007520033.tif 000033
【手続補正７】
【補正対象書類名】図面
【補正対象項目名】図１４
【補正方法】変更
【補正の内容】
【図１４】
2007520033.tif 000034
【手続補正８】
【補正対象書類名】図面
【補正対象項目名】図１５
【補正方法】変更
【補正の内容】
【図１５】
2007520033.tif 000035
【手続補正９】
【補正対象書類名】図面
【補正対象項目名】図１６
【補正方法】変更
【補正の内容】
【図１６】
2007520033.tif 000036
【手続補正１０】
【補正対象書類名】図面
【補正対象項目名】図１７
【補正方法】変更
【補正の内容】
【図１７】
2007520033.tif 000037
【手続補正１１】
【補正対象書類名】図面
【補正対象項目名】図１８
【補正方法】変更
【補正の内容】
【図１８】
2007520033.tif 000038
【手続補正１２】
【補正対象書類名】図面
【補正対象項目名】図１９
【補正方法】変更
【補正の内容】
【図１９】
2007520033.tif 000039
【手続補正１３】
【補正対象書類名】図面
【補正対象項目名】図２０
【補正方法】変更
【補正の内容】
【図２０】
2007520033.tif 000040
【手続補正１４】
【補正対象書類名】図面
【補正対象項目名】図２１
【補正方法】変更
【補正の内容】
【図２１】
2007520033.tif 000041
【手続補正１５】
【補正対象書類名】図面
【補正対象項目名】図２２
【補正方法】変更
【補正の内容】
【図２２】
2007520033.tif 000042
【手続補正１６】
【補正対象書類名】図面
【補正対象項目名】図２３
【補正方法】変更
【補正の内容】
【図２３】
2007520033.tif 000043
【手続補正１７】
【補正対象書類名】図面
【補正対象項目名】図２４
【補正方法】変更
【補正の内容】
【図２４】
2007520033.tif 000044
【手続補正１８】
【補正対象書類名】図面
【補正対象項目名】図２５
【補正方法】変更
【補正の内容】
【図２５】
2007520033.tif 000045
【手続補正１９】
【補正対象書類名】図面
【補正対象項目名】図２６
【補正方法】変更
【補正の内容】
【図２６】
2007520033.tif 000046
【国際調査報告】
2007520033.tif 000047
2007520033.tif 000048
2007520033.tif 000049